(57)【要約】【課題】サイドフラップ部の折り畳み位置を安定させた吸収性物品及び吸収性物品の製造方法を提供する。【解決手段】吸収性物品１は、前後方向Ｌに延び、吸収体４を備える本体部Ｍと、本体部Ｍの幅方向Ｗ外側に突出し、サイドシート１１及びバックシート３を含むサイドフラップ部ＳＦと、を備える。サイドフラップ部１１は、着用者の排泄口に対向して配置される排泄口当接領域の中心Ｃを含む中央領域ＣＡよりも、前後方向Ｌにおける少なくとも一端部側において、サイドシート１１から厚み方向に圧搾された、前記前後方向を直線状に延びる折り起点エンボス５０を有する。サイドフラップ部ＳＦは、折り起点エンボス５０を起点として、サイドフラップ部ＳＦの前後方向Ｌにおける一端部から前後方向Ｌにおける他の端部へと、本体部Ｍに向かって折り畳み可能である。【選択図】図１
2014018482.tif 000002
【特許請求の範囲】
【請求項１】
前後方向と、前記前後方向に直交する幅方向と、を有する吸収性物品において、
前記前後方向に延び、吸収体を備える本体部と、前記本体部の前記幅方向外側に突出し、サイド表面層及び裏面層を含むサイドフラップ部と、を備え、
前記サイドフラップ部は、着用者の排泄口に対向して配置される排泄口当接領域の中心を含む中央領域よりも、前記前後方向における少なくとも一端部側において、前記サイド表面層から厚み方向に圧搾された、前記前後方向を直線状に延びる折り起点エンボスを有し、
前記サイドフラップ部は、前記折り起点エンボスを起点として、前記サイドフラップ部の前記前後方向における前記一端部から前記前後方向における他の端部へと、前記本体部に向かって折り畳み可能である、吸収性物品。
【請求項２】
前記折り起点エンボスは、前記サイドフラップ部の前記一端部から、前記前後方向を直線状に延びる、請求項１に記載の吸収性物品。
【請求項３】
前記折り起点エンボスにおいて、前記サイド表面層と前記裏面層とが厚み方向に圧搾されており、前記サイド表面層と前記裏面層とが一体化されている、請求項１又は２に記載の吸収性物品。
【請求項４】
前記サイドフラップ部は、前記サイドフラップ部の前記幅方向の内側端部と前記サイドフラップ部の前記幅方向の外側端部との間に形成された複数のサイドエンボスを含み、
前記サイドエンボスは、前記サイドフラップ部の前記一端部には形成されない、請求項１乃至３のいずれか１項に記載の吸収性物品。
【請求項５】
前記折り起点エンボスは、前記サイドエンボスよりも前記幅方向内側に位置する、請求項４に記載の吸収性物品。
【請求項６】
前記サイドフラップ部は、前記中央領域の前記幅方向外側に配置されるウイング部と、前記ウイング部の後端部よりも後方に配置されるヒップフラップ部と、を含み、
前記サイドエンボスは、前記ウイング部よりも後方から前記ヒップフラップ部の後端部に向かって延びる、請求項５に記載の吸収性物品。
【請求項７】
前記折り起点エンボスは、前記前後方向において、前記サイドエンボスの前端部又は後端部と重なるように延びる、請求項５又は６に記載の吸収性物品。
【請求項８】
前記吸収性物品の外縁に沿って、少なくとも前記サイド表面層と前記裏面層とを厚み方向に圧搾する外縁エンボスをさらに有し、
前記外縁エンボスは、前記折り起点エンボスと交差しないように形成される、請求項１乃至７のいずれか１項に記載の吸収性物品。
【請求項９】
前記折り起点エンボスの幅は、前記サイドエンボスの幅よりも小さい、請求項１乃至８のいずれか１項に記載の吸収性物品。
【請求項１０】
前記本体部の前記幅方向両側端部には、前記前後方向に沿って前記本体部と前記サイド表面層とが重なり、弾性体が配置された防漏部が形成され、
前記防漏部は、前記弾性体が伸長状態で前記サイド表面層に固定され、前記本体部から立ち上がるように構成された伸長部と、前記弾性体が非伸長状態で前記本体部に固定された非伸長部と、を有し、
前記折り起点エンボスは、前記前後方向において前記伸長部と重ならないように延びる、請求項１乃至９のいずれか１項に記載の吸収性物品。
【請求項１１】
前記サイドフラップ部は、前記サイド表面層と前記裏面層との間に配置される中間層を備え、
前記折り起点エンボスにおいては、前記サイド表面層と前記中間層と前記裏面層とが厚み方向に圧搾され、前記サイド表面層と前記中間層と前記裏面層とが一体化される、請求項６乃至１０のいずれか１項に記載の吸収性物品。
【請求項１２】
前記ヒップフラップ部は、前記サイド表面層と前記裏面層との間にサイド吸収体を備え、
前記折り起点エンボスにおいては、前記サイド表面層と前記サイド吸収体とが厚み方向に圧搾され、前記サイド表面層と前記サイド吸収体とが一体化される、請求項６乃至１０のいずれか１項に記載の吸収性物品。
【請求項１３】
前後方向と、前記前後方向に直交する幅方向と、を有し、
前記前後方向に延び、吸収体を備える本体部と、前記本体部の前記幅方向外側に突出し、サイド表面層及び裏面層を含むサイドフラップ部と、を備える吸収性物品の製造方法において、
前記吸収性物品の前記前後方向が搬送方向に沿うように、前記吸収性物品を配置する工程と、
前記サイドフラップ部において、着用者の排泄口に対向して配置される排泄口当接領域の中心を含む中央領域よりも、前記搬送方向における上流側において、前記サイド表面層から厚み方向に圧搾し、前記前後方向を直線状に延びる折り起点エンボスを形成する工程と、を含む、方法。
【請求項１４】
前記折り起点エンボスを形成する工程において、前記搬送方向の上流側に位置する前記サイドフラップ部の一端部から、前記前後方向を直線状に延びる前記折り起点エンボスを形成する、請求項１３に記載の方法。
【請求項１５】
前記剛性の異なる部分が、前記サイドフラップ部の前記幅方向の内側端部と前記幅方向の外側端部との間に形成された複数のサイドエンボスを含み、
前記折り起点エンボスを形成する工程において、前記サイドエンボスが、前記折り起点エンボスの形成と同時に、前記サイドフラップ部の前記一端部には位置しないように形成される、請求項１３又は１４に記載の方法。
【請求項１６】
前記折り起点エンボスを形成する工程において、前記折り起点エンボスは、前記サイドエンボスよりも前記幅方向内側に形成される、請求項１５に記載の方法。
【請求項１７】
前記折り起点エンボスに沿って、前記サイドフラップ部を前記搬送方向の上流側端部から下流側端部へと、前記本体部に向けて折り畳む工程をさらに含む、請求項１３乃至１６のいずれか１項に記載の方法。
【発明の詳細な説明】
【技術分野】
【０００１】
本発明は、吸収性物品及び吸収性物品の製造方法に関し、特に、サイドフラップ部の剛性を高めた吸収性物品及び吸収性物品の製造方法に関する。
【背景技術】
【０００２】
一般に、生理用ナプキン等の吸収性物品は、液透過性の表面層と、液不透過性の裏面層と、これらの間に配置される吸収体とを備えることにより、経血等の体液を吸収及び保持する。また、吸収性物品の周囲に経血等の体液が漏れ出し、着用者の着衣に付着することを防止するために、吸収体を備える本体部から幅方向外側に延出するサイドフラップ部を設けた吸収性物品が知られている。
【０００３】
吸収性物品のサイドフラップ部は、裏面に塗布された接着剤を介してショーツ等に固定される。しかし、サイドフラップ部は、吸収体を備える本体部よりも剛性が低いため、ショーツ等への装着時に、よれ又は皺が生じやすい。サイドフラップ部に生じたよれ又は皺は接着剤によって固着しやすく、剥がして元の形状に戻すことは難しい。そこで、装着時のよれ又は皺を抑制するために、サイドフラップ部の剛性を高める技術が知られている。
【０００４】
特許文献１には、生理用ナプキンに設けられたサイドフラップ部の後部領域に、エンボス加工を施すことが記載されている。エンボス加工によって形成された凹凸部は、サイドフラップ部の剛性を高め、よれや皺を抑制する。また、着用者の身体が接触する部分に合わせて、エンボス加工によって形成された凹凸部を起点として後部フラップが折れ曲がることにより、フィット感を向上させる。
【０００５】
また、特許文献２には、生理用ナプキンのサイドフラップ部の剛性を高めるために、サイドフラップ部のトップシート及びバックシートの間に補強層を配置することが記載されている。補強層の材料としては、剛性が高く曲げ応力が強い材料、例えば、紙、不織布、合成樹脂フィルム、合成樹脂発泡シート等が挙げられている。
【先行技術文献】
【特許文献】
【０００６】
【特許文献１】特開２００３−３３９７６５号公報（図１、段落００１６等）
【特許文献２】実開平５−６５３１９号公報（図３，図４、段落００１２等）
【発明の概要】
【発明が解決しようとする課題】
【０００７】
ところで、生理用ナプキンなどの吸収性物品は、衛生上の観点から、１つずつシート状の包装材で包装された包装体として流通することが一般的である。吸収性物品は、サイドフラップ部を前後方向に沿って表面層側に折り畳んだ状態で、前後方向に複数回折り畳まれて（例えば、３つ折りにされて）包装される。
【０００８】
サイドフラップ部は、意図した位置で、前後方向に沿って折り畳まれることが望ましい。しかしながら、吸収性物品のサイドフラップ部に、相対的に剛性の高い部分と剛性の低い部分とが存在し、剛性差があると、以下のような問題が生じる。例えば、特許文献１に記載された生理用ナプキンでは、サイドフラップ部に形成された凹凸部において他の部分との剛性差が生じるため、凹凸部は他の部分よりも折れ曲がりやすい。そのため、後部フラップに形成された凹凸部の位置が意図した折り畳み位置と異なる場合でも、後部フラップの凹凸部に沿って折り畳まれるおそれがある。
【０００９】
また、特許文献２に記載された生理用ナプキンでは、サイドフラップ部の中で、補強層の配置された領域の剛性が高く、折れ曲がりにくい。そのため、補強層の配置されていない部分が折り目となりやすく、折り畳み位置が不安定となるおそれがある。
【００１０】
本発明は、上述の課題に鑑みてなされたものであり、サイドフラップ部の折り畳み位置を安定させた吸収性物品及び吸収性物品の製造方法の提供を目的とする。
【課題を解決するための手段】
【００１１】
上述した課題を解決するため、本発明は、以下の特徴を有する。本発明の第１の特徴は、前後方向（前後方向Ｌ）と、前記前後方向に直交する幅方向（幅方向Ｗ）と、を有する吸収性物品（吸収性物品１）において、前記前後方向に延び、吸収体（吸収体４）を備える本体部（本体部Ｍ）と、前記本体部の前記幅方向外側に突出し、サイド表面層（サイドシート１１）及び裏面層（バックシート３）を含むサイドフラップ部（サイドフラップ部ＳＦ）と、を備え、前記サイドフラップ部は、着用者の排泄口に対向して配置される排泄口当接領域（排泄口当接領域Ｃ）の中心を含む中央領域（中央領域ＣＡ）よりも、前記前後方向における少なくとも一端部側に、前記サイド表面層から厚み方向に圧搾された、前記前後方向を直線状に延びる折り起点エンボス（折り起点エンボス５０）を有し、前記サイドフラップ部は、前記折り起点エンボスを起点として、前記サイドフラップ部の前記前後方向における前記一端部から前記前後方向における他の端部へと、前記本体部に向かって折り畳み可能であることを要旨とする。
【００１２】
かかる特徴によれば、サイドフラップ部は、中央領域よりも少なくとも前端部側又は後端部側に、前後方向を直線状に延びる折り起点エンボスを有する。折り起点エンボスは、サイド表面層から厚み方向に圧搾されている。つまり、折り起点エンボスは、直線状の凹部であることから、サイド表面層の凹部が形成されていない部分と比べて、サイドフラップ部を折り畳みやすいと同時に、サイドフラップ部をしっかりと折り畳み、その状態を保持することができる。そのため、折り起点エンボスが折り畳み起点として機能し、意図した位置で、サイドフラップ部を折り畳むことができる。その結果、折り畳み位置を安定させることができる。
【００１３】
また、直線状の凹部である折り起点エンボスは、折り目が形成されにくく、サイドフラップ部の展開後も、折り目が残りにくい。折り起点エンボスに沿ってサイドフラップ部を折り畳むと、折り起点エンボスの位置でしっかりと折り畳まれることにより、サイドフラップ部の折り畳み状態が保持される。つまり、折り起点エンボスの形成されていない位置にも、折り目がつきにくく、展開時に折り癖が残りにくい。そのため、着用者がサイドフラップ部を展開する際に、サイドフラップ部の展開状態が維持し易く、折り癖によるサイドフラップ部の巻き込みを防止することができる。
【００１４】
また、本発明の第２の特徴は、前記折り起点エンボスは、前記サイドフラップ部の前記一端部から、前記前後方向を直線状に延びることを要旨とする。
【００１５】
かかる特徴によれば、サイドフラップ部を折り畳む起点の端部に折り起点エンボスが位置することから、確実に折り起点エンボスに沿って折り畳むことができる。
【００１６】
また、本発明の第３の特徴は、前記折り起点エンボスにおいて、前記サイド表面層と前記裏面層とが厚み方向に圧搾されており、前記サイド表面層と前記裏面層とが一体化されていることを要旨とする。
【００１７】
かかる特徴によれば、厚み方向全長に渡って圧搾され、くっきりとした凹部が形成されることから、より確実に、サイドフラップ部を折り起点エンボスに沿って折り畳むことができる。
【００１８】
また、本発明の第４の特徴は、前記サイドフラップ部は、前記サイドフラップ部の前記幅方向の内側端部と前記幅方向の外側端部との間に形成された複数のサイドエンボス（サイドエンボス２０）を含み、前記サイドエンボスは、前記サイドフラップ部の前記一端部には形成されないことを要旨とする。
【００１９】
かかる特徴によれば、サイドエンボスが、折り起点エンボスが位置する端部には形成されない。折り起点エンボス及びサイドエンボスがどちらもサイドフラップ部の端部に形成されると、サイドフラップ部がサイドエンボスに沿って折り畳まれるおそれがある。そこで、サイドエンボスが、折り起点エンボスが位置する端部には形成されないことにより、折り畳み起点が不明確となることを防止することができる。
【００２０】
また、本発明の第５の特徴は、前記折り起点エンボスは、前記サイドエンボスよりも前記幅方向内側に位置することを要旨とする。
【００２１】
かかる特徴によれば、折り起点エンボスが、サイドフラップ部の幅方向の内側端部と幅方向の外側端部との間に形成された複数のサイドエンボスよりも幅方向内側に位置する。折り起点エンボスとサイドエンボスとが交差すると、サイドエンボスに沿って折れ曲がるおそれがある。そこで、折り起点エンボスをサイドエンボスよりも幅方向内側に形成することにより、折り畳み起点が不明確となることを防止することができる。
【００２２】
また、本発明の第６の特徴は、前記サイドフラップ部は、前記中央領域の前記幅方向外側に配置されるウイング部（ウイング部ＷＧ）と、前記ウイング部の後端部と前記吸収性物品の後端部との間に配置されるヒップフラップ部（ヒップフラップ部ＨＦ）と、を含み、前記サイドエンボスは、前記ウイング部よりも後方から前記ヒップフラップ部の後端部に向かって延びることを要旨とする。
【００２３】
かかる特徴によれば、ウイング部よりも後方に位置するヒップフラップ部にサイドエンボスが形成されることから、吸収性物品の装着時、ウイング部をショーツ等の衣服に接着するときに、ヒップフラップ部の巻き込みを防止することができる。
【００２４】
また、本発明の第７の特徴は、前記折り起点エンボスは、前記前後方向において、前記サイドエンボスの前端部又は後端部と重なるように延びることを要旨とする。
【００２５】
かかる特徴によれば、折り起点エンボスは、前後方向において、サイドエンボスの前端部又は後端部と重なるように延びる。前後方向において、サイドエンボスの端部が形成された位置に、折り起点エンボスが存在していないと、サイドフラップ部がサイドエンボスに沿って折れ曲がる恐れがある。そこで、折り起点エンボスが、前後方向において、サイドエンボスの前端部又は後端部と重なるように延びることにより、折り畳み起点が不明確となることを防止することができる。
【００２６】
また、本発明の第８の特徴は、前記吸収性物品の外縁に沿って形成された外縁エンボス（ラウンドエンボス１０）をさらに有し、前記外縁エンボスは、前記折り起点エンボスと交差しないように形成されることを要旨とする。
【００２７】
かかる特徴によれば、折り起点エンボスと外縁エンボスとが交差しない。折り起点エンボスと外縁エンボスとが交差すると、サイドフラップ部が外縁エンボスに沿って折り畳まれるおそれがあり、折り畳み起点が不明確となるおそれがある。そこで、折り起点エンボスと外縁エンボスとを交差させないことにより、折り起点が不明確になることを防止することができる。
【００２８】
また、本発明の第９の特徴は、前記折り起点エンボスの幅は、前記サイドエンボスの幅よりも小さいことを要旨とする。
【００２９】
かかる特徴によれば、エンボスの幅が小さい方が、エンボス加工時にかかる線圧が大きいため、折り起点エンボスは、サイドエンボスよりもくっきりと形成される。そのため、折り起点エンボスを、より明確な折り畳み起点とすることができる。
【００３０】
また、本発明の第１０の特徴は、前記本体部の前記幅方向両側端部には、前記前後方向に沿って前記本体部と前記サイド表面層とが重なり、弾性体（弾性体６１）が配置された防漏部（ギャザー６０）が形成され、前記防漏部は、前記弾性体が伸長状態で前記サイド表面層に固定され、前記本体部から立ち上がるように構成された伸長部（伸長部６２）と、前記弾性体が非伸長状態で前記本体部に固定された非伸長部（非伸長部６３）と、を有し、前記折り起点エンボスは、前記前後方向において前記伸長部と重ならないように延びることを要旨とする。
【００３１】
かかる特徴によれば、折り起点エンボスが意図した位置から外れた場合であっても、防漏部の伸長部と交差するように折り起点エンボスが形成される可能性は低い。そのため、弾性体が伸長状態でサイド表面層に固定された伸長部が、本体部から立ち上がる機能を妨げずに済む。
【００３２】
また、本発明の第１１の特徴は、前記サイドフラップ部は、前記サイド表面層と前記裏面層との間に配置される中間層を備え、前記折り起点エンボスにおいては、前記サイド表面層と前記中間層と前記裏面層とが厚み方向に圧搾され、前記サイド表面層と前記中間層と前記裏面層とが一体化されることを要旨とする。
【００３３】
かかる特徴によれば、中間層によってヒップフラップ部の剛性が向上する一方、折り畳み位置が不安定となる。そこで、折り起点エンボスにおいて、サイド表面層と中間層と裏面層とを厚み方向に圧搾して一体化することにより、折り畳み位置を安定させることができる。
【００３４】
また、本発明の第１２の特徴は、前記ヒップフラップ部は、前記サイド表面層と前記裏面層との間にサイド吸収体を備え、前記折り起点エンボスにおいては、前記サイド表面層と前記サイド吸収体とが厚み方向に圧搾され、前記サイド表面層と前記サイド吸収体とが一体化されていることを要旨とする。
【００３５】
かかる特徴によれば、サイド吸収体によってヒップフラップ部の剛性が向上する一方、折り畳み位置が不安定となる。そこで、折り起点エンボスにおいて、サイド表面層とサイド吸収体とを厚み方向に圧搾して一体化することにより、折り畳み位置を安定させることができる。
【００３６】
また、本発明の第１３の特徴は、前後方向と、前記前後方向に直交する前記幅方向と、を有し、前記前後方向に延び、吸収体を備える本体部と、前記本体部の前記幅方向外側に突出し、サイド表面層及び裏面層を含むサイドフラップ部と、を備える、吸収性物品の製造方法において、前記吸収性物品の前記前後方向が搬送方向に沿うように、前記吸収性物品を配置する工程と、前記サイドフラップ部において、着用者の排泄口に対向して配置される排泄口当接領域の中心を含む中央領域よりも、前記搬送方向における上流側において、前記サイド表面層から厚み方向に圧搾し、前記前後方向を直線状に延びる折り起点エンボスを形成する工程と、を含むことを要旨とする。
【００３７】
かかる特徴によれば、サイドフラップ部には、中央領域よりも少なくとも搬送方向上流側に、前後方向を直線状に延びる折り起点エンボスが形成される。そのため、サイドフラップ部は、折り起点エンボスに沿って、意図した位置で折り畳むことができる。その結果、折り畳み位置を安定させることができる。
【００３８】
また、本発明の第１４の特徴は、前記折り起点エンボスを形成する工程において、前記搬送方向の上流側に位置する前記サイドフラップ部の一端部から、前記前後方向を直線状に延びる前記折り起点エンボスを形成することを要旨とする。
【００３９】
かかる特徴によれば、サイドフラップ部の搬送方向における最上流位置である端部に折り起点エンボスが位置することから、折り起点エンボスを、折り畳み工程の明確な起点とすることができる。
【００４０】
また、本発明の第１５の特徴は、前記サイドフラップ部は、前記サイドフラップ部の前記幅方向の内側端部と前記幅方向の外側端部との間に形成された複数のサイドエンボスを含み、前記折り起点エンボスを形成する工程において、前記サイドエンボスが、前記折り起点エンボスの形成と同時に、前記サイドフラップ部の前記一端部には位置しないように形成されることを要旨とする。
【００４１】
かかる特徴によれば、サイドエンボスが折り起点エンボスと同時に形成されることから、工程を簡略化することができる。また、サイドエンボスが、折り起点エンボスが位置する端部には形成されないことから、折り畳み工程の起点が不明確となることを防止することができる。
【００４２】
また、本発明の第１６の特徴は、前記折り起点エンボスを形成する工程において、前記折り起点エンボスは、前記サイドエンボスよりも前記幅方向内側に形成されることを要旨とする。
【００４３】
かかる特徴によれば、サイドエンボスが、折り起点エンボスよりも幅方向外側に形成されることから、サイドエンボスに沿って折り畳まれることを防止することができる。
【００４４】
また、本発明の第１７の特徴は、前記折り起点エンボスに沿って、前記サイドフラップ部を前記搬送方向の上流側端部から下流側端部へと、前記本体部に向けて折り畳む工程をさらに含むことを要旨とする。
【００４５】
かかる特徴によれば、サイドフラップ部を折り起点エンボスに沿って折り畳むことにより、折り畳み位置が安定する。また、サイドフラップ部を折り起点エンボスに沿って折り畳むことにより、サイドフラップ部の展開時にも、折り目が残らないようにすることができる。
【発明の効果】
【００４６】
本発明によれば、サイドフラップ部の折り畳み位置を安定させた吸収性物品及び吸収性物品の製造方法を提供することができる。
【図面の簡単な説明】
【００４７】
【図１】図１は、本発明の実施形態に係る吸収性物品の表面側から見た平面図である。
【図２】図２は、図１に示す吸収性物品の背面図である。
【図３】図３Ａは、図１に示すＡ−Ａ’断面の模式断面図であり、図３Ｂは、図１に示すＢ−Ｂ’断面の模式断面図である。
【図４】図４は、図１に示す吸収性物品の製造方法における折り畳み工程の斜視図である。
【図５】図５は、本発明の変形例に係る吸収性物品の表面側から見た平面図である。
【発明を実施するための形態】
【００４８】
（全体構成）
次に、本発明に係る吸収性物品の実施形態の全体構成について、図面を参照しながら説明する。図１から図３は、本発明の実施形態に係る吸収性物品１を示す。図１は、吸収性物品の平面図であり、図２は、吸収性物品の背面図である。図３Ａは、図１に示すＡ−Ａ’断面図である。図３Ｂは、図１に示すＢ−Ｂ’断面図である。本実施形態に係る吸収性物品１は、例えば、生理用ナプキンである。
【００４９】
吸収性物品１は、前後方向Ｌに延びる本体部Ｍと、本体部Ｍから幅方向Ｗ外側に突出するサイドフラップ部ＳＦとを備える。本体部Ｍは、着用者の肌に当接する液透過性のトップシート２と、着用者の下着と接触する液不透過性のバックシート３と、トップシート２及びバックシート３の間に配置された吸収体４と、を備える。吸収体４は、平面視にて、本体部Ｍの前後方向Ｌ及び幅方向Ｗにおける中央部分に配置される。
【００５０】
サイドフラップ部ＳＦは、着用者の排泄口が当接する排泄口当接領域の中心Ｃを含む中央領域ＣＡの幅方向外側に配置されるウイング部ＷＧと、ウイング部ＷＧの後端部よりも後方に位置するヒップフラップ部ＨＦと、を備える。
【００５１】
ここで、排泄口当接領域の中心Ｃは、着用者の排泄口が当接する中央領域ＣＡの前後方向及び幅方向の中心と一致する。例えば、ウイング部を有する吸収性物品においては、ウイング部の前後方向の中心が、中央領域の前後方向の中心となる。また、ウイング部を有しない吸収性物品においては、吸収体の幅方向の長さ寸法が最も短い位置が、中央領域の前後方向の中心となる。なお、排泄口当接領域Ｃは、着用者の股間部と当接する領域に含まれており、着用者の両脚の間に位置する。
【００５２】
ウイング部ＷＧは、着用者の下着の非肌当接面側に折り返されるように構成されている。ヒップフラップ部ＨＦの前端部となるウイング部ＷＧの後端部は、ウイング部ＷＧとヒップフラップ部ＨＦとの間において最も幅方向内側に位置する部分である。なお、ヒップフラップ部ＨＦの後端部は、吸収性物品の後端部と一致していてもよいし、吸収性物品の後端部と一致していなくてもよい。
【００５３】
サイドフラップ部ＳＦは、トップシート２の幅方向Ｗ外側に延びるサイドシート１１と、本体部Ｍから幅方向Ｗ外側に延びるバックシート３と、を含む。サイドシート１１は、幅方向Ｗ内側端部においてトップシート２と重なり、ホットメルト接着剤等によって接合される。また、サイドフラップ部ＳＦの幅方向Ｗの内側端及び外側端の間に、エンボス加工によってサイドエンボス２０が形成されている。エンボス加工には、ヒートエンボス加工、超音波エンボス加工等の手法があり、ここでは任意の手法を用いることができる。
【００５４】
好ましくは、サイドフラップ部ＳＦは、サイドシート１１及びバックシート３の間に配置された中間層１２を含む。
【００５５】
サイドフラップ部ＳＦは、中央領域ＣＡよりも前後方向Ｌの少なくとも一端部側において、前後方向Ｌを直線状に延びる折り起点エンボス５０を有する。折り起点エンボス５０の構成については、後述する。
【００５６】
本体部Ｍの幅方向Ｗ両側端部には、前後方向Ｌに沿って本体部Ｍとサイドシート１１とが重なり、弾性体６１が配置されたギャザー６０が形成される。ギャザー６０は、図３Ａに示すように、Σ形状に形成されたサイドシート１１に弾性体６１が伸長状態で固定され、本体部Ｍから立ち上がるように構成された伸長部６２と、図３Ｂに示すように、弾性体６１が非伸長状態で本体部Ｍに固定された非伸長部６３と、を有する。ギャザー６０は、前後方向Ｌの前後端部に非伸長部６３が配置され、その中間に伸長部６２が配置される。
【００５７】
吸収性物品１では、トップシート２、サイドシート１１及びバックシート３の外縁が接合されて、吸収体４が内封される。吸収性物品１は、外縁に沿ってエンボス加工を施すことによりラウンドエンボス１０が形成され、トップシート２及びサイドシート１１とバックシート３とが接合される。接合方法としては、エンボス加工の他に、超音波、又はホットメルト接着剤のいずれか一つ、又は複数を組み合わせることが可能である。
【００５８】
吸収性物品１には、トップシート２及び吸収体４を厚み方向に圧縮した圧搾溝５が形成されている。なお、圧搾溝は、少なくともトップシート２及び吸収体４を厚み方向に圧搾することによって形成されていればよく、種々の構成を採用することができる。例えば、プレス加工やエンボス加工によって形成することができ、その形状は、格子網やハニカム形状であってもよい。
【００５９】
ヒップフラップ部ＨＦには、厚み方向において凹むサイドエンボス２０が形成されている。サイドエンボス２０は、サイドシート１１側からエンボス加工を施すことにより、サイドシート１１及びバックシート３が厚み方向に圧縮されている。サイドフラップ部ＳＦが中間層１２を含む場合は、サイドエンボス２０は、サイドシート１１と中間層１２とバックシート３とが厚み方向に圧縮されている。サイドエンボス２０は、ウイング部ＷＧの後端部から後方に延びる第１のエンボス線２１と、第１のエンボス線２１から分岐し、幅方向Ｗ外側に延びる第２のエンボス線２２、第３のエンボス線２３、第４のエンボス線２４を含む。
【００６０】
第２のエンボス線２２、第３のエンボス線２３、第４のエンボス線２４は、後方に向かうにつれて幅方向内側から幅方向外側に延びるように形成されることにより、サイドエンボス２０が力の掛かる方向に沿うため、サイドエンボス２０が折り起点となり、ヒップフラップ部ＨＦが自然と折り畳まれる。よって、ヒップフラップ部ＨＦが身体に対しても、下着に対しても無理なく適合し易くなる。したがって、ヒップフラップ部ＨＦに無秩序な皺が発生し難くなり、違和感のない変形ができ、すっきりした装着感が得られる。
【００６１】
また、サイドエンボス２０は、ウイング部ＷＧの後方から、ヒップフラップ部ＨＦの後端部に向かって延びる。つまり、第１のエンボス線２１は、ウイング部ＷＧの後方から前後方向Ｌに沿って後方に延び、第２のエンボス線２２、第３のエンボス線２３、第４のエンボス線２４は、第１のエンボス線２１から分岐し、幅方向Ｗの内側から外側に向かって延びる。これにより、吸収性物品１の装着時、ウイング部ＷＧをショーツ等の衣服に接着するときに、ヒップフラップ部ＨＦの巻き込みを防止することができる。
【００６２】
（トップシート及びバックシートの構成）
トップシート２は、体液等の液体を透過する液透過性のシートである。トップシート２は、少なくとも吸収体４の表面を覆う。トップシート２は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００６３】
バックシート３は、着用時の違和感を生じさせない程度の柔軟性を有する材料とすることが好ましい。バックシート３は、不透液性且つ透湿性であることが望ましく、好ましくはポリエチレン主体のフィルムであるが、炭酸カルシウム、硫酸バリウムを含んだ通気フィルムを使用することもできる。
【００６４】
バックシート３の下着と接触する表面には、ホットメルト接着剤が塗布された複数の接着部が設けられている。接着部は、本体部Ｍの裏面側に設けられ、下着のクロッチ部に吸収性物品１を固定するための本体部ずれ止め材６と、ウイング部ＷＧの裏面側に設けられ、クロッチ部を巻き込んでウイング部ＷＧを固定するためのウイング部ずれ止め材９と、ヒップフラップ部ＨＦの裏面側に設けられ、下着の後身頃に対してヒップフラップ部ＨＦを開いた状態で固定するためのヒップフラップ部ずれ止め材８と、を有する。
【００６５】
使用前の状態では、本体部ずれ止め材６は、剥離テープ７に接しており、ヒップフラップ部ずれ止め材８及びウイング部ずれ止め材９は、図示しない剥離テープに接している。剥離テープは、使用前に接着剤が劣化するのを防止している。そして、使用時に着用者によって剥離テープが剥離される。
【００６６】
なお、剥離テープを有しない吸収性物品においては、吸収性物品を個別に包装する包装シートによって使用前に接着剤が劣化するのを防止するように構成されていてもよい。接着剤と包装シートが接する場合には、包装シートの表面には、接着剤の接着力を低下させることなく接着剤を剥離可能にする処理を施すことが望ましい。
【００６７】
（吸収体の構成）
吸収体４は、親水性繊維、パルプを含む。吸収体４は、経血などの体液を吸収可能な材料によって形成される。吸収体４は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００６８】
吸収体４は、綿状パルプや合成パルプ等を坪量１００〜３００ｇ／ｍ２程度に積層したパルプを保護紙（図示せず）で包むことによって構成されている。なお、吸収体４は、全面ほぼ均一な厚みであってもよいし、非均一な厚みであってもよい。保護紙は、パルプの形状を保持するためのものであり、例えばクレープ紙やティッシュペーパーなどを用いることができる。
【００６９】
吸収体４は、前後方向Ｌに延び、少なくとも排泄口当接領域の中心Ｃを含むように設けられる。吸収体４の大きさは、バックシート３よりも略一回り程度小さい。吸収体４の幅方向Ｗの長さは、成人女性の股間隔に対応しており、概ね５０〜８０ｍｍである。吸収体４は、ホットメルトなどの接着剤によってバックシート３に接着される。また、本実施形態では、吸収体４とトップシート２とは、ホットメルト接着剤によって接着されている。
【００７０】
（中間層の構成）
好ましくは、サイドフラップ部ＳＦにおいて、サイドシート１１及びバックシート３の間に中間層１２が配置される。好ましくは、中間層１２は、サイドフラップ部ＳＦの前端部から後端部まで、長手方向Ｌの全長にわたって配置される。これにより、サイドフラップ部ＳＦを折り畳んだ状態で吸収性物品を包装するときに、折り畳み位置が中間層１２に沿って、安定した位置に形成される。
【００７１】
また、中間層１２は、サイドフラップ部ＳＦの幅方向Ｗ外側端部よりも内側に配置される。サイドフラップ部ＳＦの幅方向Ｗ外側端部には、口開きを防止するために、ラウンドエンボス１０が密に配置されている。そこで、サイドフラップ部ＳＦの幅方向Ｗ外側端部に中間層１２を配置しないことにより、ラウンドエンボス１０によってサイドフラップ部ＳＦの幅方向Ｗ外側端部が硬くなり、着用者に擦れ刺激を与えることを防止する。
【００７２】
中間層１２は、サイドシート１１とホットメルト接着剤によって接合される。また、中間層１２は、バックシート３とホットメルト接着剤によって接合される。さらに、サイドエンボス２０によって接合強度を高め、着用中に中間層１２とサイドシート１１又はバックシート３とが分離することを防止する。
【００７３】
（サイドシートの構成）
サイドシート１１は、トップシート２の幅方向Ｗ外側端から幅方向Ｗ外側に延びる。サイドシート１１は、トップシート２と同様に、吸収体４よりも肌当接面側に配置される。サイドシート１１は、トップシート２と同様の材料から選ぶことができる。但し、サイドシート１１を乗り越えて吸収性物品１外方へ経血が流れることを防止するために、サイドシート１１は疎水性又は撥水性を有することが好ましい。サイドシート１１は、本体部Ｍの幅方向Ｗ両側縁部、ウイング部ＷＧ、及びヒップフラップ部ＨＦを覆う。
【００７４】
（折り起点エンボスの構成）
折り起点エンボス５０は、中央領域ＣＡよりも少なくとも前端部側又は後端部側において、サイドシート１１から厚み方向に圧搾され、前後方向Ｌを直線状に延びる凹部である。
【００７５】
吸収性物品１は、サイドフラップ部ＳＦを前後方向Ｌに沿って本体部Ｍに向かって折り畳んだ状態で、包装シートに包まれ、包装体とされる。このとき、サイドフラップ部ＳＦは、折り起点エンボス５０を起点として、前後方向に折り畳まれる。つまり、折り起点エンボス５０が中央領域ＣＡよりも前端部側に形成される場合、サイドフラップ部ＳＦは、前端部から後端部へと、本体部Ｍに向かって折り畳まれる。一方、折り起点エンボス５０が中央領域ＣＡよりも後端部側に形成される場合、サイドフラップ部ＳＦは、後端部から前端部へと、本体部Ｍに向かって折り畳まれる。
【００７６】
折り起点エンボスは、直線状の凹部であることから、サイドシート１１の凹部が形成されていない部分と比べて、サイドフラップ部ＳＦを折り畳みやすい。同時に、折り起点エンボスは、サイドフラップ部ＳＦをしっかりと折り畳み、その状態を保持することができる。
【００７７】
そのため、サイドフラップ部ＳＦにサイドエンボス２０が形成されていても、折り起点エンボス５０近傍の端部からサイドフラップ部ＳＦを折り畳むことにより、折り起点エンボス５０が折り畳み起点として機能する。その結果、サイドフラップ部ＳＦがサイドエンボス２０に沿って折れ曲がることなく、意図した位置で、サイドフラップ部を前後方向Ｌに沿って折り畳むことができる。
【００７８】
また、直線状の凹部である折り起点エンボス５０は、折り目が形成されにくく、サイドフラップ部ＳＦの展開後も、折り目が残りにくい。折り起点エンボス５０に沿ってサイドフラップ部ＳＦを折り畳むと、折り起点エンボス５０の位置でしっかりと折り畳まれることにより、サイドフラップ部の折り畳み状態が保持される。つまり、折り起点エンボス５０の形成されていない位置にも、折り目がつきにくく、展開時に折り癖が残りにくい。そのため、着用者がサイドフラップ部ＳＦを展開する際に、サイドフラップ部ＳＦの展開状態が維持し易く、折り癖によるサイドフラップ部の巻き込みを防止することができる。
【００７９】
好ましくは、折り起点エンボス５０は、中央領域ＣＡよりも前端部側及び後端部側の両方に形成される。折り起点エンボス５０が中央領域ＣＡよりも前端部側及び後端部側の両方に形成されると、より明確な折り畳み起点となり、折り畳み位置がより安定する。
【００８０】
好ましくは、折り起点エンボス５０は、サイドフラップ部ＳＦの前端部又は後端部のうち、少なくともサイドフラップ部ＳＦの折り畳み起点となる端部から延びるように形成され、さらに好ましくは、サイドフラップ部ＳＦの前端部及び後端部の両方から延びるように形成される。これにより、折り起点エンボス５０を、より明確な折り畳み起点とすることができ、折り畳み位置が安定する。
【００８１】
好ましくは、折り起点エンボス５０は、サイドシート１１とバックシート３とを厚み方向に圧搾し、これらを一体化するように形成される。これにより、サイドフラップ部ＳＦの厚み方向全長に渡って、折り起点エンボス５０がしっかりと形成される。その結果、折り起点エンボス５０を、より明確な折り畳み起点とすることができ、折り畳み位置が安定する。
【００８２】
中央領域ＣＡの前方又は後方のうち、折り起点エンボス５０が形成される側において、サイドエンボス２０は、サイドフラップ部ＳＦの端部を通らないように形成される。つまり、折り起点エンボス５０が中央領域ＣＡの前方に形成される場合、サイドエンボス２０は、サイドフラップ部ＳＦの前端部には形成されず、折り起点エンボス５０が中央領域ＣＡの後方に形成される場合、サイドエンボス２０は、サイドフラップ部ＳＦの後端部には形成されない。折り起点エンボス５０よりも端部側にサイドエンボス２０が形成されると、又は、折り起点エンボス５０及びサイドエンボス２０がどちらもサイドフラップ部ＳＦの端部に形成されると、サイドフラップ部ＳＦがサイドエンボス２０に沿って折り畳まれるおそれがあり、折り畳み起点が不明確となるからである。
【００８３】
折り起点エンボス５０は、サイドエンボス２０よりも幅方向Ｗ内側に位置する。図１に示すように、サイドエンボス２０は、第１のエンボス線２１がウイング部ＷＧよりも後方からヒップフラップ部ＨＦの後端部に向かって延び、第２のエンボス線２２、第３のエンボス線２３、第４のエンボス線２４は、第１のエンボス線２１から分岐して、後方に向かうにつれて幅方向Ｗ内側から外側に延びる。そのため、折り起点エンボス５０とサイドエンボス２０とが重複し、折り畳み位置が不明確となることを防止するため、折り起点エンボス５０はサイドエンボス２０よりも幅方向Ｗ内側、すなわち、第１のエンボス線２１よりも幅方向Ｗ内側に位置する。
【００８４】
折り起点エンボス５０は、前後方向Ｌにおいて、サイドエンボス２０の前端部又は後端部と重なるように延びる。図１においては、サイドフラップ部ＳＦの後端部側に形成された折り起点エンボス５０が、第１のエンボス線２１の後端部と、前後方向Ｌにおいて重なるように延びる。サイドフラップ部ＳＦには、前後方向Ｌにおいて、サイドエンボス２０は形成されているが、折り起点エンボス５０は形成されていない領域が存在する。しかし、折り起点エンボス５０は、サイドエンボス２０の前端部又は後端部の前後方向Ｌにおける位置と重なるように延びることから、サイドフラップ部ＳＦがサイドエンボス２０に沿って折れ曲がることを防止し、折り畳み位置を安定させる。
【００８５】
折り起点エンボス５０は、吸収性物品１の外縁に沿って形成されたラウンドエンボス１０と交差しないように形成される。折り起点エンボス５０とラウンドエンボス１０とが交差した場合、サイドフラップ部ＳＦがラウンドエンボス１０に沿って折り畳まれるおそれがあり、折り起点が不明確になるからである。好ましくは、折り起点エンボス５０とラウンドエンボス１０とは、５ｍｍ以上離れるように形成される。
【００８６】
折り起点エンボス５０の幅は、サイドエンボス２０の幅よりも小さい。エンボスの幅が小さいと、エンボス加工時にかかる線圧が大きい。そのため、折り起点エンボス５０は、サイドエンボス２０よりも加工時に大きい線圧が加えられ、サイドエンボス２０よりもくっきりと形成される。その結果、折り起点エンボス５０を、より明確な折り畳み起点とすることができる。
【００８７】
折り起点エンボス５０は、前後方向Ｌにおいてギャザー６０の伸長部６２と重ならないように延びる。つまり、折り起点エンボス５０が意図した位置から外れて形成されたとしても、折り起点エンボス５０が、ギャザー６０の有効領域である伸長部６２と交差する可能性は低い。そのため、弾性体６１が伸長状態でサイドシート１１に固定された伸長部６２の、本体部Ｍから立ち上がる機能が妨げられずに済む。
【００８８】
（吸収性物品の製造方法）
次に、本実施形態に係る吸収性物品１の製造方法の一部について説明する。なお、説明しない方法については、既存の方法を用いることができる。吸収性物品の製造方法は、第１ステップとして、シート生成工程を行う。次いで、第２ステップとして、シート接合工程を行う。具体的には、トップシート２とサイドシート１１とを、例えば熱溶着によって接着する。
【００８９】
第３ステップとして、吸収体成型工程を行う。具体的には、成型ドラムによって吸収体の材料となるパルプを成型して吸収体４を成型する。なお、第１ステップ及び第２ステップのシート生成工程と、第３ステップの吸収体成型工程の順序は、逆の順序であってもよい。
【００９０】
第４ステップにおいて、接合工程を行う。具体的には、第３ステップにおいて成型した吸収体と、第２ステップにおいて接合したトップシート及びサイドシートとを接合する接合工程を行う。
【００９１】
第５ステップにおいて、圧搾工程を行う。具体的には、トップシート２と吸収体４とを厚み方向に圧縮し、圧搾溝５を形成する。
【００９２】
第６ステップにおいて、バックシート接合工程を行う。具体的には、圧搾溝を形成した吸収体４及びトップシートと、サイドシートと、バックシートとを、ホットメルト接着剤の塗布により接合する。
【００９３】
第７ステップとして、エンボス加工工程を行う。具体的には、折り起点エンボス５０の形成と、サイドエンボス２０の形成と、ラウンドエンボス１０の形成とを、同時に行う。折り起点エンボス５０及びサイドエンボス２０は、サイドシート１１及びバックシート３を厚み方向に圧縮して形成する。折り起点エンボス５０は、搬送方向ＭＤに前後方向Ｌが沿うように配置された吸収性物品１の、中央領域ＣＡの少なくとも搬送方向ＭＤ上流側において、前後方向Ｌを直線状に延びるように形成する。ラウンドエンボス１０は、吸収性物品の外縁に沿ってトップシート２、サイドシート１１、及びバックシート３を厚み方向に圧縮して形成する。その後、製品形状の線に合わせて、トップシート２等をカットする。
【００９４】
好ましくは、折り起点エンボス５０は、サイドフラップ部ＳＦの搬送方向ＭＤ上流側端部から、前後方向Ｌを直線状に延びるように形成される。また、サイドエンボス２０は、サイドフラップ部ＳＦの搬送方向ＭＤ上流側端部には位置しないように形成される。
【００９５】
第８ステップとして、サイドフラップ部の折り畳み工程を行う。図４は、図１に示す吸収性物品の製造方法における折り畳み工程の斜視図である。具体的には、吸収性物品１は、搬送方向ＭＤの両側において、折り起点エンボス５０の位置とほぼ同位置に設置された折り畳みガイド７０を通過する。好ましくは、折り起点エンボス５０の位置とガイド７０の位置とが一致するよう、ガイド７０入口において吸収性物品１の位置が修正される。吸収性物品１がガイド７０を通過すると、折り起点エンボス５０に沿って、搬送方向ＭＤの上流から下流へと、サイドフラップ部ＳＦが本体部Ｍに向かって折り畳まれる。
【００９６】
その後、サイドフラップ部ＳＦのバックシート３に、ヒップフラップ部ずれ止め材８、ウイング部ずれ止め材９として接着剤を塗布し、吸収性物品１の包装工程を行う。上記の工程により、本実施の形態に係る吸収性物品の製造することができる。
【００９７】
（変形例）
図５は、本発明の変形例に係る吸収性物品の、表面側から見た平面図である。なお、本実施の形態と同様の構成を有する部分については、同じ符号で表わされるものとし、説明を省略する。
【００９８】
図５に示す吸収性物品１’は、ヒップフラップ部ＨＦにおいて、サイドシート１１とバックシート３との間に、中間層１２に代えて、サイド吸収体４’を備える。図５において、サイド吸収体４’は、吸収体４を幅方向Ｗに延ばすことによって、吸収体４と一体的に形成される。サイドエンボス２０’は、サイドシート１１とサイド吸収体４’とを圧搾して一体化する。
【００９９】
折り起点エンボス５０’は、サイドシート１１とサイド吸収体４’とバックシート３とを厚み方向に圧搾して一体化する。ヒップフラップ部ＨＦは、吸収体４が幅方向Ｗに延びたサイド吸収体４’を備えることから、剛性が向上する一方、折り畳み位置が不安定となる。ヒップフラップ部ＨＦは、折り起点エンボス５０’においてサイドシート１１とサイド吸収体４’とバックシート３とが厚み方向に圧搾されて一体化されていることから、折り起点エンボス５０’が明確な折り畳み起点となり、折り畳み位置を安定させることができる。
【０１００】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１０１】
例えば、本実施の形態に係る折り起点エンボス５０は、直線状であるが、例えば破線でもよく、ドット状に圧搾した部分を直線状に配置したものでもよい。
【０１０２】
また、本実施の形態では、サイドエンボス２０は、線状であるが、例えば、間欠的に配置された複数のドット状の集合体によって構成されていてもよい。
【０１０３】
また、本実施の形態では、トップシート２とサイドシート１１とを別々に設けるものとして記載したが、これに限定されない。トップシートを本体部からサイドフラップ部にまで幅方向に延ばすことにより、トップシートとサイドシートとを一体的に形成することもできる。
【０１０４】
また、本実施の形態では、ヒップフラップ部ＨＦのみにサイドエンボス２０を形成するものとして説明したが、これに限定されない。ウイング部ＷＧにもエンボス部を形成することにより、着用者の下着への巻き込みを容易にすることもできる。
【０１０５】
また、本実施の形態では、本体部Ｍの幅方向Ｗ両側端部にギャザー６０が形成されるものとして説明したが、これに限定されない。吸収性物品１は、ギャザーを有さなくてもよい。
【０１０６】
また、本実施の形態では、サイドフラップ部ＳＦがウイング部ＷＧを有するものとして説明したが、これに限定されない。サイドフラップ部ＳＦは、ウイング部ＷＧを有さず、ヒップフラップ部ＨＦのみを有してもよい。この場合であっても、折り起点エンボス５０とサイドエンボス２０とは、上述した位置関係を維持する。
【０１０７】
また、サイドフラップ部ＳＦにおいて、サイドシート１１とバックシート３との間に中間層を設けることにより、サイドフラップ部ＳＦの剛性を高めてもよい。中間層は、柔軟性及びコストの観点から、ポリプロピレン主体のＳＢ不織布又はＳＭＳ不織布であることが好ましい。サイドフラップ部ＳＦが中間層を備える場合、折り起点エンボス５０及びサイドエンボス２０は、少なくともサイドシート１１と中間層とを圧搾して一体化する。
【符号の説明】
【０１０８】
Ｌ…前後方向、  Ｔ…厚み方向、  Ｗ…幅方向、  Ｍ…本体部、Ｃ…排泄口当接領域の中心、  ＣＡ…中央領域、  ＳＦ…サイドフラップ部、  ＷＧ…ウイング部、  ＨＦ…ヒップフラップ部、  １…吸収性物品、２…トップシート、  ３…バックシート、  ４…吸収体、  ５…圧搾溝、  ６…本体部ずれ止め材、  ７…剥離テープ、８…ヒップフラップ部ずれ止め材、  ９…ウイング部ずれ止め材、  １０…ラウンドエンボス、  １１…サイドシート、１２…中間層、  ２０…エンボス部、  ２１…第１のエンボス線、  ２２…第２のエンボス線、  ２３…第３のエンボス線、  ２４…第４のエンボス線、  ５０…折り起点エンボス、  ６０…ギャザー、  ６１…弾性体、  ６２…伸長部、  ６３…非伸長部、  ７０…ガイド
【図１】
2014018482.tif 000003
【図２】
2014018482.tif 000004
【図３】
2014018482.tif 000005
【図４】
2014018482.tif 000006
【図５】
2014018482.tif 000007